(57)【要約】      （修正有）【課題】ソニケータを利用した海苔処理装置、及びソニケータを利用した海苔処理方法を提供する。【解決手段】海苔処理装置１００は、海に浮遊することができる船舶１１０と、船舶に置かれ、内部に溶液を充填することができる空間が設けられている海苔処理水槽１２０と、海苔が付いている複数個の海苔養殖紐１３１を含んでなり、海苔養殖紐を、海苔処理水槽の一端から他端に向けて移動させることができる海苔移動装置１３０と、海苔処理水槽に充填される酸溶液１４０と、海苔処理水槽に連結されており、海苔処理水槽に超音波を発生させることができるソニケータ１５０と、を含み、ソニケータによって発せられた超音波は、海苔処理水槽を介して、海苔処理水槽に充填される酸溶液に伝達されて海苔を処理する。海苔処理方法は、海苔処理水槽配置段階、酸溶液希釈段階、超音波発生段階、海苔処理段階を含んでなる。【選択図】図１
2019062884.tif 000002
【特許請求の範囲】
【請求項１】
酸を利用して海苔を処理する海苔処理装置において、
海に浮遊することができる船舶と、
前記船舶に置かれ、内部に溶液を充填することができる空間が設けられている海苔処理水槽と、
海苔が付いている複数個の海苔養殖紐を含んでなり、前記海苔養殖紐を、前記海苔処理水槽の一端から他端に向けて移動させることができる海苔移動装置と、
前記海苔処理水槽に充填される酸溶液と、
前記海苔処理水槽に連結されており、前記海苔処理水槽に超音波を発生させることができるソニケータと、を含み、
前記ソニケータによって発せられた超音波は、前記海苔処理水槽を介して、前記海苔処理水槽に充填される前記酸溶液に伝達されて海苔を処理する、ソニケータを利用した海苔処理装置。
【請求項２】
前記超音波の周波数は、１５，０００Ｈｚ〜１８０，０００Ｈｚである、請求項１に記載のソニケータを利用した海苔処理装置。
【請求項３】
前記超音波の周波数は、１５，０００Ｈｚ〜２５，０００Ｈｚである、請求項１に記載のソニケータを利用した海苔処理装置。
【請求項４】
前記酸溶液は、ｐＨ５．０以下である、請求項１に記載のソニケータを利用した海苔処理装置。
【請求項５】
前記海苔処理水槽は、前記船舶に、脱着／装着自在である、請求項１に記載のソニケータを利用した海苔処理装置。
【請求項６】
酸を利用して海苔を処理する海苔処理方法において、
海に浮遊する船舶に、内部に溶液を充填することができる空間が設けられている海苔処理水槽を配置する段階と、
前記海苔処理水槽に酸溶液を充填し、前記酸溶液を海水に希釈する段階と、
前記海苔処理水槽に連結されており、前記海苔処理水槽に超音波を発生させることができるソニケータを介して、前記海苔処理水槽に超音波を発生させる段階と、
海苔が付いている複数個の海苔養殖紐を含んでなり、前記海苔養殖紐を、前記海苔処理水槽の一端から他端に向けて移動させることができる海苔移動装置を介して海苔を前記海苔処理水槽の一端から他端に移動させる段階と、を含んでなり、
前記ソニケータによって発せられた超音波は、前記海苔処理水槽を介して、前記海苔処理水槽に充填される前記酸溶液に伝達されて海苔を処理する、ソニケータを利用した海苔処理方法。
【請求項７】
前記超音波の周波数は、１５，０００Ｈｚ〜１８０，０００Ｈｚである、請求項６に記載のソニケータを利用した海苔処理方法。
【請求項８】
前記超音波の周波数は、１５，０００Ｈｚ〜２５，０００Ｈｚである、請求項６に記載のソニケータを利用した海苔処理方法。
【請求項９】
前記酸溶液は、ｐＨ５．０以下である、請求項６に記載のソニケータを利用した海苔処理方法。
【請求項１０】
前記海苔処理水槽は、前記船舶に、脱着／装着自在である、請求項６に記載のソニケータを利用した海苔処理方法。
【発明の詳細な説明】
【技術分野】
【０００１】
本発明は、ソニケータを利用した海苔処理装置、及びソニケータを利用した海苔処理方法に係り、さらに詳細には、酸溶液が充填された海苔処理水槽に、ソニケータを利用して超音波を発生させ、海苔を処理することができる、ソニケータを利用した海苔処理装置、及びソニケータを利用した海苔処理方法に関する。
【背景技術】
【０００２】
一般的に、海苔を養殖するときは、海苔だけ育つのではなく青海藻、珪藻類、異雑物も絡まって育つために、高品質の海苔生産に困難さが伴う。そのような青海藻、珪藻類、異雑物を除去するために、塩酸を使用しており、塩酸を介して、海苔養殖に被害を与える青海藻、珪藻類、異雑物を除去することができる。
【０００３】
具体的には、海苔の場合、青海藻、珪藻類、雑苔に比べ、細胞壁が厚いために、塩酸に対する抵抗力が高く、塩酸処理を行えば、海苔以外の青海藻、珪藻類、雑苔を除去することができる。しかし、塩酸を介した海苔処理方式は、次のような問題点がある。
【０００４】
海苔を塩酸処理する場合、塩酸を海水に希釈し、希釈された塩酸に、海苔を１０秒〜２０秒ほど通過させる方式で海苔を処理する。海苔を塩酸によって処理するために、海苔が養殖されるところまで塩酸を移動させなければならず、移動させた塩酸を海水に希釈して使用する。
【０００５】
塩酸の場合、有害化学物質であり、高濃度の塩酸は、非常に危険な物質に分類されるので、政府は、高濃度の無機酸塩酸、特に、３５％以上の工業用塩酸を使用することができないように規制している。政府は、高濃度の工業用塩酸の代わりに、有機酸と無機酸とを合成して作った酸度９．５％レベルの海苔活性処理剤の使用を勧めている。
【０００６】
しかし、酸度９．５％レベルの海苔活性処理剤を使用し、海苔処理を行う場合、海苔処理養殖場まで、相当多量の海苔活性処理剤を移送しなければならないという問題点がある。３５％以上の工業用塩酸を使用する場合、１缶の塩酸であるならば、海苔処理作業が可能であるが、酸度９．５％レベルの海苔活性処理剤を使用すれば、１０缶もばら撒いて作業を行わなければならないという問題点がある。
【０００７】
そのような不都合のために、一部の漁民が、違法に３５％以上の工業用塩酸を使用するということが頻繁に発生している。しかし、３５％以上の工業用塩酸は、非常に危険な物質に分類され、作業者が危険に露出される問題点があり、３５％以上の工業用塩酸により、海洋環境汚染も、はなはだしくなるという問題点がある。
【０００８】
相当数の漁民らは、費用が廉価な上、効果も良好な工業用塩酸を差し置いたまま、政府規制のために、海苔活性処理剤を使用しているという問題点を提起しているが、海苔養殖業者だけのために、有害化学物質（高濃度の塩酸）を扱う関連法令に例外を置き難いという実情である。そのために、塩酸を利用した海苔処理方式の効能を改善する技術が必要であるというのが実情である。
【発明の概要】
【発明が解決しようとする課題】
【０００９】
本発明は、前述の問題点を解決するためのものであり、さらに詳細には、酸溶液が充填された海苔処理水槽に、ソニケータを利用して超音波を発生させて海苔を処理することができる、ソニケータを利用した海苔処理装置、及びソニケータを利用した海苔処理方法に関する。
【課題を解決するための手段】
【００１０】
前述の問題点を解決するための本発明の、ソニケータを利用した海苔処理装置は、海に浮遊することができる船舶と、前記船舶に置かれ、内部に溶液を充填することができる空間が設けられている海苔処理水槽と、海苔が付いている複数個の海苔養殖紐を含んでなり、前記海苔養殖紐を、前記海苔処理水槽の一端から他端に向けて移動させることができる海苔移動装置と、前記海苔処理水槽に充填される酸溶液と、前記海苔処理水槽に連結されており、前記海苔処理水槽に超音波を発生させることができるソニケータと、を含み、前記ソニケータによって発せられた超音波は、前記海苔処理水槽を介して、前記海苔処理水槽に充填される前記酸溶液に伝達されて海苔を処理することを特徴とする。
【００１１】
前述の問題点を解決するための本発明の、ソニケータを利用した海苔処理装置の前記超音波の周波数は、１５，０００Ｈｚ〜１８０，０００Ｈｚであってもよい。
【００１２】
前述の問題点を解決するための本発明の、ソニケータを利用した海苔処理装置の前記超音波の周波数は、１５，０００Ｈｚ〜２５，０００Ｈｚであってもよい。
【００１３】
前述の問題点を解決するための本発明の、ソニケータを利用した海苔処理装置の前記酸溶液は、ｐＨ５．０以下であってもよい。
【００１４】
前述の問題点を解決するための本発明の、ソニケータを利用した海苔処理装置の前記海苔処理水槽は、前記船舶に、脱着／装着自在であることが望ましい。
【００１５】
前述の問題点を解決するための本発明の、ソニケータを利用した海苔処理方法は、海に浮遊する船舶に、内部に溶液を充填することができる空間が設けられている海苔処理水槽を配置する段階と、前記海苔処理水槽に酸溶液を充填し、前記酸溶液を海水に希釈する段階と、前記海苔処理水槽に連結されており、前記海苔処理水槽に超音波を発生させることができるソニケータを介して、前記海苔処理水槽に超音波を発生させる段階と、海苔が付いている複数個の海苔養殖紐を含んでなり、前記海苔養殖紐を、前記海苔処理水槽の一端から他端に向けて移動させることができる海苔移動装置を介して海苔を前記海苔処理水槽の一端から他端に移動させる段階と、を含んでなり、前記ソニケータによって発せられた超音波は、前記海苔処理水槽を介して、前記海苔処理水槽に充填される前記酸溶液に伝達されて海苔を処理することを特徴とする。
【００１６】
前述の問題点を解決するための本発明の、ソニケータを利用した海苔処理方法の前記超音波の周波数は、１５，０００Ｈｚ〜１８０，０００Ｈｚであってもよい。
【００１７】
前述の問題点を解決するための本発明の、ソニケータを利用した海苔処理方法の前記超音波の周波数は、１５，０００Ｈｚ〜２５，０００Ｈｚであってもよい。
【００１８】
前述の問題点を解決するための本発明の、ソニケータを利用した海苔処理方法の前記酸溶液は、ｐＨ５．０以下であってもよい。
【００１９】
前述の問題点を解決するための本発明の、ソニケータを利用した海苔処理方法の前記海苔処理水槽は、前記船舶に、脱着／装着自在であることが望ましい。
【発明の効果】
【００２０】
本発明は、船に脱着／装着自在であり、酸溶液が充填された海苔処理水槽に、ソニケータを利用して超音波を発生させ、海苔を処理することにより、低濃度の酸においても、海苔を効果的に処理することができるという長所がある。また、本発明は、高濃度の塩酸を使用しなくてもよいために、海洋環境汚染を防止することができるという長所がある。
【図面の簡単な説明】
【００２１】
【図１】本発明の一実施形態による、ソニケータを利用した海苔処理装置の概路図を示す図面である。
【図２】本発明の一実施形態による、ソニケータを利用した海苔処理方法の工程図を示す図面である。
【図３】本発明の一実施形態により、超音波を利用し、無機酸を介してｐＨを調節し、青海藻を除去することと、超音波を利用せずに、無機酸を介してｐＨを調節し、青海藻を除去したことと、を比較した図面である。
【図４】本発明の一実施形態により、超音波を利用し、無機酸を介してｐＨを調節し、青海藻を除去することと、超音波を利用せずに、無機酸を介してｐＨを調節し、青海藻を除去したことと、を比較した図面である。
【図５】本発明の一実施形態により、超音波を利用し、有機酸を介してｐＨを調節し、青海藻を除去することと、超音波を利用せずに、有機酸を介してｐＨを調節し、青海藻を除去したことと、を比較した図面である。
【図６】本発明の一実施形態により、超音波を利用し、有機酸を介してｐＨを調節し、青海藻を除去することと、超音波を利用せずに、有機酸を介してｐＨを調節し、青海藻を除去したことと、を比較した図面である。
【図７】本発明の一実施形態により、超音波の周波数を変化させながら有機酸を介して青海藻を除去することを示す図面である。
【図８】本発明の一実施形態により、超音波の周波数を変化させながら有機酸を介して青海藻を除去することを示す図面である。
【図９】本発明の一実施形態により、超音波を利用して雑苔を除去することを示す図面である。
【図１０】本発明の一実施形態により、超音波を利用して珪藻類を除去することを示す図面である。
【図１１】本発明の一実施形態により、超音波を利用して珪藻類を除去することを示す図面である。
【発明を実施するための形態】
【００２２】
本発明は、ソニケータを利用した海苔処理装置に係り、酸溶液が充填された海苔処理水槽に、ソニケータを利用して超音波を発生させて海苔を処理することができる、ソニケータを利用した海苔処理装置に関する。以下、添付された図面を介して、本発明の望ましい実施形態について詳細に説明する。
【００２３】
図１を参照すれば、本発明のソニケータを利用した海苔処理装置１００は、船舶１１０、海苔処理水槽１２０、海苔移動装置１３０、酸溶液１４０、ソニケータ１５０を含んでなる。
【００２４】
前記船舶１１０は、海に浮遊することができ、海苔が養殖されている場所まで移動するための移動手段になる。前記船舶１１０を、海苔が養殖されている場所まで移動させ、前記船舶１１０内部に配置されている前記海苔処理水槽１２０に海苔を入れ、海苔処理を進めることができる。前記船舶１１０は、内部に前記海苔処理水槽１２０を配置し、海苔養殖場所まで移動することができるものであるならば、多様な船舶が使用されるということは言うまでもない。
【００２５】
前記海苔処理水槽１２０は、前記船舶１１０に置かれるものであり、内部に溶液を充填することができる空間が設けられている。具体的には、前記海苔処理水槽１２０は、後述する酸溶液１４０と海水とが共に充填されているものであり、酸溶液１４０を海水に希釈させながら、希釈された酸溶液１４０が保存される場所になる。
【００２６】
前記海苔処理水槽１２０に、希釈された酸溶液１４０が充填されれば、希釈された酸溶液１４０に海苔を入れて海苔を処理する。前記海苔処理水槽１２０には、酸溶液が海水と希釈されるために、海水を引き上げるためのポンプが設けられてもよい。
【００２７】
前記海苔処理水槽１２０は、前記船舶１１０に脱着／装着自在に結合される。前記海苔処理水槽１２０を、前記船舶１１０に脱着／装着自在に結合することにより、前記海苔処理水槽１２０の使用後、清掃を容易に行うことができ、必要な船舶において、前記海苔処理水槽１２０を選択的に使用することができる。
【００２８】
ここで、前記海苔処理水槽１２０は、前記船舶１１０に脱着／装着自在に結合されるものに限定されるものではなく、前記海苔処理水槽１２０は、前記船舶１１０に固定されていてもよいということは言うまでもない。すなわち、前記海苔処理水槽１２０は、前記船舶１１０に脱着／装着自在に結合されるものであってもよく、前記船舶１１０に固定的に結合されているものであってもよい。
【００２９】
前記酸溶液１４０は、前記海苔処理水槽１２０に充填される。具体的には、前記酸溶液１４０は、無機酸からなっていてもよく、有機酸からなっていてもよい。前記酸溶液１４０は、前記海苔処理水槽１２０に充填された後、海水と希釈され、海苔処理に使用される。後述するが、前記酸溶液１４０は、前記ソニケータ１５０によって発生する超音波により、低濃度の酸溶液であるとしても、海苔処理が可能である。
【００３０】
前記酸溶液１４０は、ｐＨ５以下であってもよく、望ましくは、塩酸の濃度が１．５％以下であってもよい。また、前記酸溶液１４０は、ｐＨ１．０〜ｐＨ２．０であってもよい（ここで、前記酸溶液１４０のｐＨは、前記酸溶液１４０が海水に希釈されたときのｐＨを示す）。そのような低濃度の前記酸溶液１４０が使用されても、前記ソニケータ１５０によって超音波を発生させれば、効果的な海苔処理が可能となる。
【００３１】
前記ソニケータ１５０は、前記海苔処理水槽１２０に連結されているものであり、前記海苔処理水槽１２０に超音波を発生させることができるのである。前記ソニケータ１５０は、超音波に該当する振動を発生させることができる装置であり、前記海苔処理水槽１２０に超音波を発生させることができるものであるならば、前記海苔処理水槽１２０の多様なところに結合される。
【００３２】
前記ソニケータ１５０によって発せられた超音波は、前記海苔処理水槽１２０に伝達され、前記海苔処理水槽１２０に充填されている前記酸溶液１４０に伝達される。前記ソニケータ１５０によって発せられた超音波が、前記酸溶液１４０に伝達されれば、酸溶液の作用と、超音波の作用とにより、海苔に絡まって育っている青海藻、珪藻類、雑苔を効果的に除去することができる。このとき、前記ソニケータ１５０によって発せられる超音波の周波数領域は、１５，０００Ｈｚ〜１８０，０００Ｈｚであってもよく、１５，０００ＨＺ〜２５，０００Ｈｚにすることもできる。
【００３３】
前記ソニケータ１５０によって発せられた超音波が伝達される前記酸溶液１４０に海苔を入れるためには、前記海苔移動装置１３０が使用される。前記海苔移動装置１３０は、海苔を、前記海苔処理水槽１２０に充填されている前記酸溶液１４０に浸しておいて取り出すことができる装置であるならば、多様な装置が使用される。
【００３４】
具体的には、前記海苔移動装置１３０は、海苔が付いている複数個の海苔養殖紐１３１を含んでなり、前記海苔養殖紐１３１を、前記海苔処理水槽の一端から他端に向けて移動させることができるのである。海苔を、前記海苔処理水槽１２０に充填されている前記酸溶液１４０に過度に長い間置けば、海苔も損傷される危険がある。従って、海苔を、前記海苔処理水槽１２０内で移動させれば、必要な時間だけ海苔を前記酸溶液１４０に浸すことができ、海苔を連続的に処理することもできる。
【００３５】
前記海苔移動装置１３０は、前記海苔養殖紐１３１を移動させるために、モータなどの動力部が設けられ、前記海苔養殖紐１３１を移動させるための固定台及びローラなどが使用されてもよい。
【００３６】
前述のソニケータを利用した海苔処理装置を使用して海苔を処理する、ソニケータを利用した海苔処理方法は、次の通りである。ソニケータを利用した海苔処理方法で使用される海苔処理装置は、前述のソニケータを利用した海苔処理装置と同一であるので、その詳細な説明は、省略する。
【００３７】
図２を参照すれば、本発明のソニケータを利用した海苔処理方法は、海苔処理水槽配置段階（Ｓ１００）、酸溶液希釈段階（Ｓ２００）、超音波発生段階（Ｓ３００）、海苔処理段階（Ｓ４００）を含んでなる。
【００３８】
前記海苔処理水槽配置段階（Ｓ１００）は、海に浮遊する船舶１１０に、内部に溶液を充填することができる空間が設けられている海苔処理水槽１２０を配置する段階である。前記海苔処理水槽配置段階（Ｓ１００）においては、前記海苔処理水槽１２０を、前記船舶１１０内に配置し、海苔処理を行うことができる場所まで、前記船舶１１０を移動させる。
【００３９】
ここで、前記海苔処理水槽１２０は、前記船舶１１０に脱着／装着自在に結合されるのである。前記海苔処理水槽１２０を、前記船舶１１０に脱着／装着自在に結合することにより、前記海苔処理水槽１２０の使用後、清掃を容易に行うことができ、必要な船舶において、前記海苔処理水槽１２０を選択的に使用することができるのである。
【００４０】
前記酸溶液希釈段階（Ｓ２００）は、前記海苔処理水槽１２０に酸溶液１４０を充填し、前記酸溶液１４０を海水に希釈する段階である。前記海苔処理水槽１２０には、前記酸溶液１４０を希釈させるために、海水を引き上げることができるポンプが設けられてもよい。前記酸溶液１４０は、前記海苔処理水槽１２０内部空間において、海水と混合されて希釈される。
【００４１】
前記超音波発生段階（Ｓ３００）は、前記海苔処理水槽１２０に連結されており、前記海苔処理水槽１２０に超音波を発生させることができるソニケータ１５０を介して、前記海苔処理水槽１２０に超音波を発生させる段階である。前記ソニケータ１５０によって発せられた超音波は、前記海苔処理水槽１２０を介して、前記酸溶液１４０に伝達される。
【００４２】
前記酸溶液１４０は、前記ソニケータ１５０によって伝達された超音波を介して、低濃度で海苔処理が可能であるという長所がある。従来は、海苔処理のために、高濃度の酸溶液が必要であったが、本発明は、ソニケータ１５０を介して超音波を発生させ、前記酸溶液１４０に超音波を伝達することにより、低濃度の酸溶液でも、海苔を処理することができるのである。
【００４３】
ここで、前記ソニケータ１５０で発せられる超音波の周波数は、２０，０００Ｈｚ〜１８０，０００Ｈｚあってもよく、前記酸溶液は、ｐＨ５以下であってもよい（望ましくは、前記酸溶液は、塩酸濃度１．５％以下によってなる）。
【００４４】
海苔処理段階（Ｓ４００）は、海苔が付いている複数個の海苔養殖紐１３１を含んでなり、前記海苔養殖紐１３１を、前記海苔処理水槽１２０の一端から他端に向けて移動させることができる海苔移動装置１３０を介して、海苔を前記海苔処理水槽１２０の一端から他端に移動させる段階である。
【００４５】
海苔を処理するためには、前記酸溶液１４０に海苔を浸しておいて取り出さなければならず、過度に長時間の間海苔を浸しておけば、海苔も損傷される危険性がある。従って、前記海苔移動装置１３０により、海苔を前記海苔処理水槽１２０の一端から他端に移動させながら、前記酸溶液１４０に浸されるようにすることが望ましい。また、前記海苔処理移動装置１３０を介して、海苔を前記海苔処理水槽１２０の一端から他端に移動させれば、連続的に海苔を処理することができるという長所がある。
【００４６】
図３〜図１１を参照すれば、前記ソニケータ１５０によって超音波を発生させれば、効果的な海苔処理を行うことができるということが分かる。
【００４７】
図３〜図８は、超音波を利用して青海藻を除去する実施形態に該当する（高品質の海苔を生産するために、海苔処理を行うとき、青海藻は、除去しなければならない主要対象である）。図９は、超音波を利用して雑苔を除去する実施形態を示し、図１０及び図１１は、超音波を利用し、珪藻類を除去する実施形態に該当する。
【００４８】
図３〜図６は、きれいな海水に青海藻をほぐし入れ、２時間ほど放置した後、ｐＨ別に青海藻を処理したものである。青海藻を処理するときは、酸溶液で２０秒処理し、超音波を発生させたときと、超音波を発生させていないときとに分け、青海藻を処理した。処理した青海藻を、２Ｌ以上のきれいな海水で約１分ほど３回以上洗浄した後、新たな海水に入れ、２時間ほど通気させた後、安定化したサンプルを、染色液（エリストシン（Erythrosine）０．１％）で３０秒間処理し、死細胞を染色する。染色されたサンプルは、２Ｌ以上のきれいな海水で５回以上洗浄して乾燥させた後、死細胞率［（染色された面積／全体青海藻面積）×１００］を計算した。
【００４９】
図３及び図４は、無機酸（塩酸）を介してｐＨを調節し、超音波を発生させていないときと、超音波を２０，０００Ｈｚで発生させたとき（２０ｋＨｚ、６００Ｗ、２０秒）との青海藻の死細胞率を示したものである。図４を参照すれば、超音波を発生させていないときは、青海藻の死細胞率が低く測定されるが、超音波を発生させれば、青海藻の死細胞率が高くなるということが分かる。
【００５０】
図５及び図６は、有機酸を介してｐＨを調節し、超音波を発生させていないときと、超音波を２０，０００Ｈｚで発生させたとき（２０ｋＨｚ、６００Ｗ、２０秒）との青海藻の死細胞率を示したものである。図６を参照すれば、超音波を発生させていないときは、青海藻の死細胞率が低く測定されるが、超音波を発生させれば、青海藻の死細胞率が高くなるということが分かる。
【００５１】
すなわち、超音波を２０，０００Ｈｚで発生させれば、酸溶液が、ｐＨ１．０〜ｐＨ２．０からなっても、青海藻の死細胞率を高めることができ、それを介して、低い酸濃度でも、青海藻を効果的に除去することができる（ｐＨが２．０より高くなれば、青海藻の死細胞率が低下するので、酸溶液のｐＨは、２．０より低く形成することが望ましい）。ただし、酸溶液がｐＨ１．０〜ｐＨ２．０に限定されるものではなく、青海藻以外の珪藻類、雑苔などを除去するために、異なるｐＨ範囲を有する酸溶液が使用されてもよい。
【００５２】
図７及び図８は、前記ソニケータ１５０で発せられた超音波の周波数別に青海藻を処理したものである。図７及び図８において、青海藻の死細胞率計算は、図３〜図６で使用された方法と同一である。図７及び図８は、有機酸を使用してｐＨを１．９５にし、２０秒間青海藻を処理した。
【００５３】
図７及び図８を参照すれば、前記ソニケータ１５０で発せられた超音波の周波数が２０ｋＨｚ（２０，０００Ｈｚ）において、青海藻の死細胞率が最も高いということが分かり、それにより、前記ソニケータ１５０で発せられた超音波の周波数は、１５，０００Ｈｚ〜２５，０００Ｈｚであってもよく、２０，０００Ｈｚであってもよい。ただし、前記ソニケータ１５０で発せられた超音波の周波数は、１５，０００Ｈｚ〜２５，０００Ｈｚに限定されるものではなく、青海藻以外の他の珪藻類、雑苔などを除去するために、１５，０００Ｈｚ〜１８０，０００Ｈｚの周波数が使用されてもよい。
【００５４】
図９は、超音波を利用した海苔養殖紐１３１に雑苔が形成された場合、前記ソニケータ１５０で発せられた超音波を介して雑苔を処理したことを示す実施形態である。図９は、海苔養殖紐１３１を適当な長さに切った後、２０秒間、酸または超音波を処理したものである。処理された海苔養殖紐１３１は、２Ｌ以上のきれいな海水を利用して３回以上洗浄した後、新たな海水に入れ、２時間ほど通気させた後、雑苔除去効率を観察したものである。
【００５５】
図９を参照すれば、従来の酸溶液処理だけでは、海苔養殖紐１３１から効率的に除去することができなかった。しかし、本発明の実施形態のように、超音波で処理する場合（ｐＨ８、２０ｋＨｚ、２００Ｗ、２０秒）、海苔養殖紐１３１の雑苔は除去され、海苔だけ残っているのである。図９を介して分かることは、雑苔は、酸溶液を使用せずに（ｐＨ８）、超音波処理のみを介して除去されるのである。
【００５６】
図１０及び図１１は、超音波を利用し、珪藻類を除去したことを示したものである。図１０及び図１１は、海苔葉体に、酸または超音波を処理した後、光学顕微鏡を利用して珪藻類を観察したものである。
【００５７】
図１０及び図１１を参照すれば、従来の酸溶液処理だけでは、珪藻類を効率的に除去することができなかったが、本発明の実施形態のように超音波で処理する場合（ｐＨ８、２０ｋＨｚ、２００Ｗ、２０秒）、珪藻類は、容易に除去されるのである。図１０及び図１１から分かることは、珪藻類は、酸溶液を使用せずに（ｐＨ８）、超音波処理のみを介して除去されるのである。
【００５８】
前述のように、図３〜図１１を参照すれば、本発明の一実施形態により、ソニケータ１５０で超音波を発生させて海苔を処理すれば、低濃度の酸溶液でも、青海藻、雑苔、珪藻類を容易に除去することができるという長所がある。
【００５９】
前述のソニケータを利用した海苔処理装置、及びソニケータを利用した海苔処理方法は、次のような効果がある。
【００６０】
従来は、海苔を塩酸処理する場合、塩酸を海水に希釈して使用し、塩酸の場合、有害化学物質であり、高濃度の塩酸は、非常に危険な物質に分類されるので、３５％以上の高濃度によってなる工業用塩酸を使用することができないように規制し、酸度９．５％レベルの海苔活性処理剤を使用するようにした。しかし、海苔活性処理剤でもって海苔処理を行う場合、海苔処理養殖場まで、相当多量の海苔活性処理剤を移送しなければならないという問題点がある。３５％以上の工業用塩酸を使用する場合、１缶の塩酸であるならば、海苔処理作業が可能であるが、酸度９．５％レベルの海苔活性処理剤を使用するならば、１０缶も撒いて作業をしなければならないために、漁民らは、違法に３５％以上の工業用塩酸を使用していることが頻繁に発生している。
【００６１】
しかし、本発明は、ソニケータ１５０を介して超音波を発生させ、海苔処理水槽１２０に充填されている酸溶液１４０に超音波を伝達することにより、低濃度の酸溶液でも、海苔を処理することができるという長所がある。特に、低濃度の酸溶液でも、海苔を処理することができるようになり、３５％以上の工業用塩酸を使用する必要がなく、移動させなければならない酸溶液の量も減少し、海苔処理に効率を高めることができるという長所がある。
【００６２】
また、従来には、３５％以上の高濃度塩酸を使用することにより、海洋環境汚染が発生するという問題点があったが、本発明の低濃度の酸溶液で海苔処理を行うことにより、従来に比べ、海洋環境汚染を保護することができるという長所がある。
【００６３】
以上、本発明について、望ましい実施形態を挙げて詳細に説明したが、本発明は、前述の実施形態に限定されるものではなく、本発明の範疇を外れない範囲内で、さまざまな多様な変形が提供されるのである。従って、本発明の真の技術的保護範囲を、特許請求の範囲の技術的思想によって決められるものである。
【産業上の利用可能性】
【００６４】
本発明の、ソニケータを利用した海苔処理装置、及びソニケータを利用した海苔処理方法は、例えば、海苔養殖関連の技術分野に効果的に適用可能である。
【符号の説明】
【００６５】
１００    海苔処理装置
１１０    船舶
１２０    海苔処理水槽
１３０    海苔移動装置
１３１    海苔養殖紐
１４０    酸溶液
１５０    ソニケータ
【図１】
2019062884.tif 000003
【図２】
2019062884.tif 000004
【図３】
2019062884.tif 000005
【図４】
2019062884.tif 000006
【図５】
2019062884.tif 000007
【図６】
2019062884.tif 000008
【図７】
2019062884.tif 000009
【図８】
2019062884.tif 000010
【図９】
2019062884.tif 000011
【図１０】
2019062884.tif 000012
【図１１】
2019062884.tif 000013